(57)【要約】【課題】本発明の目的は、装置の構成を単純なものにしつつ、コストの低減を図った混合液供給装置を提供することにある。【解決手段】混合液供給装置１は、混合液を吐出する吐出口２０を有する混合液吐出部２と、混合液吐出部に接続されて原液を混合液吐出部に供給する原液供給管３１と、原液を貯留するための原液タンク３２と、該原液タンクから原液供給管まで原液を送出する原液ポンプ３３と、混合液吐出部に接続されて、希釈液を混合液吐出部に供給する希釈液供給管４１と、を備えている。【選択図】図１
2017079948.tif 000002
【特許請求の範囲】
【請求項１】
原液を希釈液で希釈して生成された混合液を供給する混合液供給装置であって、
前記混合液を吐出する吐出口を有する混合液吐出部と、
前記混合液吐出部に接続されて前記原液を前記混合液吐出部に供給する原液供給管と、
前記原液を貯留するための原液タンクと、
該原液タンクから前記原液供給管まで前記原液を送出する原液ポンプと、
前記混合液吐出部に接続されて、前記希釈液を前記混合液吐出部に供給する希釈液供給管と、を備えていることを特徴とする混合液供給装置。
【請求項２】
前記混合液吐出部に供給される前記原液の流量を調整する原液流量調整手段と、前記混合液吐出部に供給される前記希釈液の流量を調整する希釈液流量調整手段と、をさらに備えていることを特徴とする請求項１に記載の混合液供給装置。
【請求項３】
前記混合液吐出部が、管状の管状部本体を有し、
前記管状部本体と前記希釈液供給管との希釈液接続部が、前記管状部本体と前記原液供給管との原液接続部よりも前記吐出口から離れた位置にあることを特徴とする請求項１又は請求項２に記載の混合液供給装置。
【請求項４】
前記混合液吐出部に接続されてエアーを前記混合液吐出部に供給するエアー供給管と、
前記エアー供給管までエアーを送出するエアーポンプと、をさらに備え、
前記混合液吐出部が、管状の管状部本体を有し、
前記管状部本体において、前記原液供給管及び前記希釈液供給管の各接続部よりも前記吐出口側に、前記管状部本体と前記エアー供給管とのエアー接続部が設けられていることを特徴とする請求項１乃至請求項３のうち何れか一項に記載の混合液供給装置。
【発明の詳細な説明】
【技術分野】
【０００１】
本発明は、原液を希釈液で希釈した混合液を供給する混合液供給装置に関する。
【背景技術】
【０００２】
従来、液体洗剤や消毒液等の原液から希釈した混合液を生成して送出する混合液供給装置が提案されている（例えば、特許文献１参照。）。
【０００３】
特許文献１に開示された混合液供給装置１０１は、図２に示すように、原液を貯留する原液タンク１０２と、原液と希釈液とを混合するための混合液タンク１０３と、原液を原液タンク１０２から混合液タンク１０３に移送する原液吐出ポンプ１０４と、混合液タンク１０３から混合液吐出ノズル１０５側へ混合液を移送する混合液吐出ポンプ１０６と、を備えている。このような混合液供給装置１０１は、原液吐出ポンプ１０４を駆動し、原液タンク１０２から原液を吸い上げて一定量を混合液タンク１０３に供給し、その後、一定量の希釈液を混合液タンク１０３に供給することで、原液が所定の希釈倍率まで薄められた混合液が混合液タンク１０３内で生成される。そして、混合液吐出ポンプ１０６を駆動することで、混合液が混合液吐出ノズル１０５側へ移送されるように構成されている。
【先行技術文献】
【特許文献】
【０００４】
【特許文献１】特許第４９０２１９８号
【発明の概要】
【発明が解決しようとする課題】
【０００５】
しかしながら、特許文献１に開示された従来の混合液供給装置１０１は、生成された混合液を一時的に貯留するための混合液タンク１０３や混合液吐出ポンプ１０６等を備えているため、装置の構成が複雑になり、装置自体のコストが高くなる。
【０００６】
本発明の目的は、装置の構成を単純なものにしつつ、コストの低減を図った混合液供給装置を提供することにある。
【課題を解決するための手段】
【０００７】
上記目的を解決するために本発明は以下の構成を備える。
即ち、請求項１に記載の本発明は、原液を希釈液で希釈して生成された混合液を供給する混合液供給装置であって、前記混合液を吐出する吐出口を有する混合液吐出部と、前記混合液吐出部に接続されて前記原液を前記混合液吐出部に供給する原液供給管と、前記原液を貯留するための原液タンクと、該原液タンクから前記原液供給管まで前記原液を送出する原液ポンプと、前記混合液吐出部に接続されて、前記希釈液を前記混合液吐出部に供給する希釈液供給管と、を備えている。
【０００８】
請求項２記載の本発明は、請求項１に記載の本発明において、前記混合液吐出部に供給される前記原液の流量を調整する原液流量調整手段と、前記混合液吐出部に供給される前記希釈液の流量を調整する希釈液流量調整手段と、をさらに備えていることを特徴とする。
【０００９】
請求項３記載の本発明は、請求項１又は請求項２に記載の本発明において、前記混合液吐出部が、管状の管状部本体を有し、前記管状部本体と前記希釈液供給管との希釈液接続部が、前記管状部本体と前記原液供給管との原液接続部よりも前記吐出口から離れた位置にあることを特徴とする。
【００１０】
請求項４記載の本発明は、請求項１乃至請求項３のうち何れか一項に記載の本発明において、前記混合液吐出部に接続されてエアーを前記混合液吐出部に供給するエアー供給管と、前記エアー供給管までエアーを送出するエアーポンプと、をさらに備え、前記混合液吐出部が、管状の管状部本体を有し、前記管状部本体において、前記原液供給管及び前記希釈液供給管の各接続部よりも前記吐出口側に、前記管状部本体と前記エアー供給管とのエアー接続部が設けられていることを特徴とする。
【発明の効果】
【００１１】
請求項１に記載の本発明によれば、原液供給管により原液が混合液吐出部に直接供給され、希釈液供給管により希釈液が混合液吐出部に直接供給されて、原液と希釈液が混合して生成された混合液が混合液吐出部の吐出口から吐出されるから、従来技術の如く、生成された混合液を混合液タンク内で一時的に貯留せずとも、混合液を吐出口から吐出することができる。従って、混合液タンクや混合液吐出ポンプを省略することができる。こうして、混合液タンクや混合液吐出ポンプを省略した分だけ、装置の構成を単純なものにしつつ、装置自体のコストの低減を図った混合液供給装置を提供することができる。
【００１２】
なお、原液が液体石鹸原液であり、希釈液が水道水である場合には、混合液としてムース状の希釈石鹸水が生成されることになる。ここで、従来の混合液供給装置であって、混合液タンク内で希釈石鹸水が貯留された場合には、混合液タンクや混合液吐出ポンプ、混合液が通る配管に石鹸カスが付着することがあるが、本発明の混合液供給装置は、原液供給管により原液が混合液吐出部に直接供給され、希釈液供給管により希釈液が混合液吐出部に直接供給されるから、混合液が吐出の直前に生成され、貯留されることがなくなり、よって、石鹸カスが生じることを抑制できる。
【００１３】
請求項２に記載の本発明によれば、混合液吐出部に供給される原液の流量を調整する原液流量調整手段と、混合液吐出部に供給される希釈液の流量を調整する希釈液流量調整手段と、を備えている。これにより、所望の希釈倍率の混合液を簡単に生成することができる。
【００１４】
請求項３に記載の本発明によれば、混合液吐出部が、管状の管状部本体を有し、管状部本体と希釈液供給管との希釈液接続部が、管状部本体と原液供給管との原液接続部よりも吐出口から離れた位置にある。即ち、希釈液接続部が原液接続部よりも吐出口から離れた位置にあることで、原液供給管から混合液吐出部に供給された原液が、希釈液供給管から混合液吐出部に供給された希釈液の吐出口に向かう流れに乗って、当該希釈液に混合されつつ吐出口まで送出される。
【００１５】
請求項４に記載の本発明によれば、混合液吐出部に接続されてエアーを混合液吐出部に供給するエアー供給管と、エアー供給管までエアーを送出するエアーポンプと、をさらに備え、混合液吐出部が、管状の管状部本体を有し、管状部本体において、原液供給管及び希釈液供給管の各接続部よりも吐出口側に、管状部本体とエアー供給管とのエアー接続部が設けられている。このような構成にすることで、混合液吐出部内において、各接続部から供給された原液及び希釈液が、原液供給管及び希釈液供給管の各接続部よりも吐出口側にて混合され、生成された混合液がエアー供給部から供給されたエアーにより、内部に気泡を含むムース状となる。よって、ムース状の混合液を供給することができる。
【図面の簡単な説明】
【００１６】
【図１】本発明の一実施の形態にかかる混合液供給装置を示す構成図である。
【図２】従来の混合液供給装置を示す構成図である。
【発明を実施するための形態】
【００１７】
以下、本発明の例示的一態様にかかる混合液供給装置を、図１を参照して説明する。図１は、本発明の一実施の形態にかかる混合液供給装置を示す構成図である。
【００１８】
混合液供給装置１は、図１に示すように、液体石鹸原液（原液）を水道水（希釈液）で希釈して生成されたムース状の希釈石鹸水（混合液）を供給するための装置である。本実施形態において、混合液は、内部に気泡を含むムース状の希釈石鹸水である。この混合液供給装置１は、例えば洗面台等の水栓の近傍部において、希釈石鹸水を吐出するための吐出口２０が外部に露出するように設置されている。そして、使用者が手洗い等をする際に、所定の希釈倍率に希釈された希釈石鹸水を供給するためのものである。なお、本実施形態において、「液体石鹸原液」のことを原液と記す場合、「水道水」のことを希釈液と記す場合、「希釈石鹸水」のことを混合液と記す場合がある。
【００１９】
混合液供給装置１は、混合液を吐出する吐出口２０を有する混合液吐出部２と、原液を混合液吐出部２に供給する原液供給部３と、希釈液を混合液吐出部２に供給する希釈液供給部４と、混合液吐出部２内にエアーを供給するエアー供給部５と、を備えている。この混合液供給装置１は、使用者の動作により、所定量の希釈石鹸水を吐出口２０から吐出するように原液供給部３、希釈液供給部４、及びエアー供給部５を制御する制御部（図示しない）を有している。
【００２０】
混合液吐出部２は、金属製部材から構成された管状部本体２１と、吐出口２０を有する混合液吐出ノズル２２と、原液供給部３に接続される原液接続部２３と、希釈液供給部４に接続される希釈液接続部２４と、エアー供給部５に接続されるエアー接続部２５と、を備えて構成されている。管状部本体２１には、その軸方向の一方側に、混合液吐出ノズル２２が連続形成されている。
【００２１】
管状部本体２１には、原液接続部２３、希釈液接続部２４及びエアー接続部２５が設けられている。原液接続部２３、希釈液接続部２４、及びエアー接続部２５は、管状部本体２１の軸方向において、吐出口２０から離れる方向に、エアー接続部２５、原液接続部２３、及び希釈液接続部２４の順に位置しているとともに、管状部本体２１において、当該管状部本体２１の軸に対して交差（直交を含む）する方向に筒状に立設成形されている。このように、希釈液接続部２４が原液接続部２３よりも吐出口２０から離れた位置にあることで、原液供給管３１から原液接続部２３に供給された原液が、希釈液供給管４１から希釈液接続部２４に供給された希釈液の吐出口２０に向かう流れに乗って、希釈液に混合されつつ吐出口２０まで送出される。
【００２２】
さらに、混合液吐出ノズル２２における吐出口２０の近傍部には、使用者の手の動きを感知する吐出センサ（図示しない）が設けられている。そして、吐出センサが使用者の手の動きを感知すると、制御部が原液供給部３、希釈液供給部４、及びエアー供給部５を制御するように構成されている。さらに、混合液吐出部２には、管状部本体２１から混合液吐出ノズル２２に向かう流路を塞ぐ位置に、樹脂製のメッシュ部材２０ａ、２０ｂが取り付けられている。メッシュ部材２０ａ、２０ｂは、金属製であってもよい。また、メッシュ部材２０ａ、２０ｂに代えて、多数の小穴を有する板状部材等の多孔体等の網状体を用いてもよい。これらメッシュ部材２０ａ、２０ｂを、生成された混合液が通過することで、液体石鹸原液及び水道水と、エアーが混ぜられることとなり、きめ細やかなムース状の希釈石鹸水が生成されることとなる。ここで、本実施形態の混合液供給装置１は、石鹸カスが生じることを抑制できるから、石鹸カスによりメッシュ部材２０ａ、２０ｂが詰まることがない。
【００２３】
このような混合液吐出部２にあっては、原液接続部２３と希釈液接続部２４との間にて、原液接続部２３からの液体石鹸原液（原液）と希釈液接続部２４からの水道水（希釈液）が混合されて希釈石鹸水（混合液）が生成される。そして、吐出口２０とエアー接続部２５との間にて、エアー接続部２５から供給されたエアーにより、内部に気泡を含むムース状の希釈石鹸水が生成される。さらに、内部に気泡を含むムース状の希釈石鹸水がメッシュ部材２０ａ、２０ｂを通過することで、きめ細やかなムース状の希釈石鹸水が吐出される。
【００２４】
原液供給部３は、混合液吐出部２の原液接続部２３に接続される原液供給管３１と、原液を貯留するための原液タンク３２と、原液タンク３２から原液供給管３１まで原液を送出する原液ポンプ３３と、を備えて構成されている。原液供給管３１には、原液ポンプ３３により吸い上げられた原液を所定の流量に調整するための原液絞り弁３４（原液流量調整手段）と、原液供給管３１内の原液の逆流を防止するための原液逆止弁３５と、が設けられている。原液絞り弁３４は、原液供給管３１内の流路を狭くすることで、原液供給管３１内を流れる原液（流体）の量を調節可能に構成されている。この原液絞り弁３４は、混合液供給装置１の使用を開始する際に、原液供給管３１内を流れる原液の流量が所望の流量となるように、絞り量を調節して用いられるものである。
【００２５】
このような原液供給部３は、制御部の指示により、原液ポンプ３３を所定時間だけ駆動する。これにより、原液絞り弁３４により調節された所定量の原液が原液タンク３２から吸い上げられて、混合液吐出部２に送り出される。
【００２６】
希釈液供給部４は、混合液吐出部２の希釈液接続部２４に接続される希釈液供給管４１と、希釈液供給管４１を流れる水道水（希釈液）を所定の流量に調整するための希釈液絞り弁４２（希釈液流量調整手段）と、希釈液供給管４１内の水道水の水圧を下げつつ下げられた水圧を一定に保つための減圧弁４３（希釈液流量調整手段）と、制御部の指示により希釈液供給管４１を開閉する電磁弁４４と、を備えている。希釈液絞り弁４２、減圧弁４３、電磁弁４４は、希釈液供給管４１の水道水の流れ方向（給水栓４０から希釈液供給管４１に向かう方向）に減圧弁４３、電磁弁４４、希釈液絞り弁４２の順で設けられている。希釈液絞り弁４２は、希釈液供給管４１内の流路を絞ることにより、希釈液供給管４１内を流れる水道水（希釈液）の量を調節可能に構成されている。この希釈液絞り弁４２は、混合液供給装置１の使用を開始する際に、希釈液供給管４１内を流れる希釈液の流量が所望の流量となるように、絞り量を調節して用いられるものである。
【００２７】
このような希釈液供給部４は、制御部の指示により、電磁弁４４を所定時間だけ開放する。そして、希釈液絞り弁４２及び減圧弁４３により調節された所定量の水道水が、混合液吐出部２に送り出される。
【００２８】
エアー供給部５は、混合液吐出部２のエアー接続部２５に接続されるエアー供給管５１と、エアー供給管５１にエアーを送出するエアーポンプ５２と、を備えて構成されている。このようなエアー供給部５は、制御部の指示により、エアーポンプ５２を所定時間だけ駆動する。これにより、所定量のエアーが、混合液吐出部２に送り出される。
【００２９】
次に本実施形態の作用について説明する。使用者の手の動きを吐出センサが感知すると、制御部が原液供給部３の原液ポンプ３３を所定時間だけ駆動する。また、制御部が希釈液供給部４の電磁弁４４を所定時間だけ開放する。さらに、制御部がエアー供給部５のエアーポンプ５２を所定時間だけ駆動する。これにより、所定量の原液、及び所定量の希釈液、所定量のエアーが送り出され、混合液吐出部２に略同時に到達する。そして、原液供給管３１により原液が混合液吐出部２に供給され、希釈液供給管４１により希釈液が混合液吐出部２に供給され、原液と希釈液が混合して生成された混合液が、エアー供給管５１からのエアーによって、内部に気泡を含むムース状となり、吐出口２０から吐出される。
【００３０】
上述した実施形態によれば、原液供給管３１により原液が混合液吐出部２に直接供給され、希釈液供給管４１により希釈液が混合液吐出部に直接供給されて、原液と希釈液が混合して生成された混合液が混合液吐出部２の吐出口２０から吐出されるから、生成された混合液を混合液タンク内で一時的に貯留せずとも、混合液を吐出口２０から吐出することができる。従って、混合液タンクや混合液吐出ポンプを省略することができる。こうして、混合液タンクや混合液吐出ポンプを省略した分だけ、装置の構成を単純なものにしつつ、装置自体のコストの低減を図った混合液供給装置を提供することができる。
【００３１】
また、生成された混合液が一時的に貯留されることなく直ちに吐出されるから、石鹸カスが生じることを抑制できる。
【００３２】
また、混合液吐出部２に供給される原液の流量を調整する原液絞り弁３４（原液流量調整手段）と、混合液吐出部２に供給される希釈液の流量を調整する希釈液絞り弁４２（希釈液流量調整手段）及び減圧弁４３（希釈液流量調整手段）と、を備えているから、所望の希釈倍率の混合液を簡単に生成することができる。
【００３３】
なお、前述した実施形態は本発明の代表的な形態を示したに過ぎず、本発明は、実施形態に限定されるものではない。即ち、本発明の骨子を逸脱しない範囲で種々変形して実施することができる。例えば、上述した実施形態では、混合液吐出部２は、管状部本体２１と、吐出口２０を有する混合液吐出ノズル２２と、が別体に構成されていたが、本発明はこれに限らず、混合液吐出部は、管状部本体２１と混合液吐出ノズル２２と、が一体に構成されていてもよい。また、上述した実施形態では、エアー接続部２５、及び原液接続部２３、及び希釈液接続部２４は、管状部本体２１において、管状部本体２１の軸に対して交差（直交を含む）する方向に立設成形されているが、本発明はこれに限らず、エアー接続部２５、及び原液接続部２３が、管状部本体２１の軸に対して交差（直交を含む）する方向に立設成形され、希釈液接続部は、管状部本体２１の軸方向の他端部に設けられ、希釈液供給管４１からの希釈液を、管状部本体２１の軸方向の他端側から受け入れるように構成されていてもよい。また、上述した実施形態では、管状部本体２１において、吐出口２０から離れる方向に、エアー接続部２５、原液接続部２３、及び希釈液接続部２４の順に設けられているが、本発明はこれに限らず、エアー接続部、原液接続部、及び希釈液接続部は、管状部本体２１の軸方向に、何れの順番で設けられていてもよい。また、上述した実施形態では、管状部本体２１は、１つの金属製の配管部材から構成されているが、本発明はこれに限らず、管部材本体は、途中に配管を含む複数の配管部材が接続されて構成されていてもよい。
【００３４】
また、上述した実施形態では、混合液供給装置１が、エアー供給部５を有し、混合液として、内部に気泡を含むムース状の希釈石鹸水が吐出されているが、本発明はこれに限らず、混合液として、気泡を含まない（泡状でない）液状の希釈石鹸水が吐出されてもよく、この場合には、エアー供給部５は省略してもよい。
【００３５】
また、上述した実施形態では、希釈液として水道水、原液として液体石鹸原液を例に挙げて説明したが、これに限定されるものではなく、例えば、原液としてうがい薬原液や消毒液原液を用い、希釈液として滅菌水を用いてもよく、原液として飲料等の原液を用い、希釈液として飲料水や炭酸水を用いてもよい。
【００３６】
また、上述した実施形態では、原液流量調整手段として、原液絞り弁３４を例示し、希釈液流量調整手段として、希釈液絞り弁４２、及び減圧弁４３を例示したが、本発明はこれに限らず、原液流量調整手段は、混合液吐出部２に供給される原液の流量を調整するものであればよく、原液絞り弁３４でなくともよい。また、希釈液流量調整手段は、混合液吐出部２に供給される希釈液の流量を調整するものであればよく、希釈液絞り弁４２、及び減圧弁４３でなくともよい。
【００３７】
また、上述した実施形態では、希釈液供給管４１が給水栓４０に接続された場合について説明していたが、希釈液供給管４１が給水栓４０に接続されていない場合、例えば、水道水が希釈液貯留タンクに貯留された場合には、電磁弁４４は省略してもよい。電磁弁４４の代わりに、制御部の指示により開閉される各種の弁装置又はポンプを用いてもよい。
【００３８】
また、上述した実施形態では、希釈液供給部４が、希釈液絞り弁４２、減圧弁４３、及び電磁弁４４を有して構成された一例を説明していたが、希釈液供給部４が、逆止弁、逆流防止のためのバキュームブレーカー、希釈液供給管４１の内部圧力が異常に上昇した際に自動的に圧力を放出させ内部圧力の降下とともに自動的に希釈液供給管４１を閉じる安全弁、メンテナンス時の止水栓  をさらに有して構成されていてもよい。この場合には、給水栓４０から希釈液供給管４１に向かう順に、止水栓、減圧弁４３、電磁弁４４、安全弁、バキュームブレーカー、希釈液絞り弁４２、逆止弁の順に設けられていてもよい。
【００３９】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の混合液供給装置の構成を具備する限り、勿論、本発明の範疇に含まれるものである。
【符号の説明】
【００４０】
１        混合液供給装置
２        混合液吐出部
５        エアー供給部
２０      吐出口
２１      管状部本体
２３      原液接続部
２４      希釈液接続部
２５      エアー接続部
３１      原液供給管
３２      原液タンク
３３      原液ポンプ
３４      原液絞り弁（原液流量調整手段）
４１      希釈液供給管
４２      希釈液絞り弁（希釈液流量調整手段）
４３      減圧弁（希釈液流量調整手段）
５１      エアー供給管
５２      エアーポンプ
【図１】
2017079948.tif 000003
【図２】
2017079948.tif 000004